(57)【要約】【課題】  ガードレールへの鉄片付着を防止する付着危険物付着防止装置の提供。【解決手段】  ガードレールＧの段差状端面部Ｔと結合する段差を有する結合突起を自動車進入方向に傾斜した傾斜面を有した弾性材料から成る緩衝体５と、ガードレールＧの上下端を折曲して被う一対のガードレール取付部２及び３と、前記ガードレール取付部２及び３との間に前記緩衝体５が配置されるように支持するガードレール緩衝体固定部１とを備え、前記緩衝体５の高さが、前記内側レール及び外側レールの重ねあわせ部を固定する固定ボルトの高さより低く構成したもの【選択図】  図１
0003119846.tif 000002
【実用新案登録請求の範囲】
【請求項１】
反対側の走行路線に対して段差が対向するように内側レール及び外側レールが重ねあわされた段差状端面部をもつガードレールの危険物付着防止装置であって、
前記ガードレールの段差状端面部を傾斜をもって被う緩衝体を設けたことを特徴とする危険物付着防止装置。
【請求項２】
前記請求項１記載の危険物付着防止装置が、前記ガードレールの段差状端面部と結合する段差を有する結合突起を自動車進入方向に傾斜した傾斜面を有した弾性材料から成る緩衝体と、ガードレールの上下端を折曲して被う一対のガードレール取付部と、前記ガードレール取付部間に前記緩衝体が配置されるように支持するガードレール緩衝体固定部とを備え、前記緩衝体の高さが、前記内側レール及び外側レールの重ねあわせ部を固定する固定ボルトの高さより低く構成したことを特徴とするガードレールの危険物付着防止装置。
【請求項３】
前記請求項１記載の危険物付着防止装置が、前記ガードレールの段差状端面部と突き当たる磁石ケース及び該磁石ケースに収納される磁石とから成る複数の磁石体と、該複数の磁石体を固定的に収納する弾性材料から成り、自動車進入方向に傾斜した傾斜面を有する磁力装着緩衝体であることを特徴とするガードレールの危険物付着防止装置。
【考案の詳細な説明】
【技術分野】
【０００１】
本考案は、道路のガードレールに自動車の衝突によって自動車の車体の一部である鋭利な鉄片などが付着されるのを防止する危険物付着防止装置に関する。
【背景技術】
【０００２】
近年、ガードレールを有する国道や県道において、ガードレール接続部に三角形状などの危険な鉄片が付着して、自転車による通行者などが怪我をする事故が発生している。
【０００３】
ガードレールに危険な鉄片などが付着する原因は必ずしも明確ではないが、例えば図１８に示すような追越運転時が考えられる。すなわち、図１８は車輌９１ａが車輌９５を追い越そうとして対向車線側に進入した場合の説明図で、図１８では省略してあるが、ガードレールＧはレール部材の端部を一定の長さに亘って重ね合わせてボルトとナットにより繋ぎ合せてあるため、一方のレール部材の端面が他方のレール部材の表面よりその肉厚分だけ立上った段差状に突出しており、このため、車輌９１ｂがガードレールＧと衝突した際、ガードレールＧの前記段部状端面が車輌の一部例えばドアの一部を剥ぎ取り、ガードレールの内側と外側のレール間に挟まってガードレールＧに危険な鉄片を付着させるのではないかと推測されている。
【０００４】
しかし、ガードレールにこのような問題があるのが分かって来たのは最近のことで、このため、現在のところこれに対する効果的な対策がなく、早急な対策が求められている。なお、道路用ガードレールに関する技術が記載された文献としては下記特許文献が挙げられるが、危険な金属片の付着防止に関するものではない。
【特許文献１】実用新案登録第３０４１４９９号公報
【考案の開示】
【考案が解決しようとする課題】
【０００５】
従来技術によるガードレールは、反対車線から自動車が衝突した際に車体から鉄片が剥がれることを防止することを考慮しておらず、従って鉄片が付着すると言う不具合があった。
【０００６】
本発明の目的は、前述の従来技術による不具合を除去することであり、自動車が衝突しても車体から鉄片が剥がれてガードレールに付着するのを防止することができる道路用ガードレールの危険物付着防止装置を提供することである。
【課題を解決するための手段】
【０００７】
前記目的を達成するため本考案は、反対側の走行路線に対して段差部が対向するように内側レール及び外側レールが重ねあわされた段差状端面部をもつガードレールの危険物付着防止装置において、前記ガードレールの段差状端面部を傾斜をもって被う緩衝体を設けたことを第１特徴とする。
【０００８】
また本考案は、前記第１の特徴の危険物付着防止装置が、前記ガードレールの段差状端面部と結合する段差を有する結合突起を自動車進入方向に傾斜した傾斜面を有した弾性材料から成る緩衝体と、ガードレールの上下端を折曲して被う一対のガードレール取付部と、前記ガードレール取付部間に前記緩衝体が配置されるように支持するガードレール緩衝体固定部とを備え、前記緩衝体の高さが、前記内側レール及び外側レールの重ねあわせ部を固定する固定ボルトの高さより低く構成したことを第２の特徴とする。
【０００９】
更に本考案は、前記第１の特徴の危険物付着防止装置において、前記ガードレールの段差部と突き当たる磁石ケース及び該磁石ケースに収納される磁石とから成る複数の磁石体と、該複数の磁石体を固定的に収納する弾性材料から成り、自動車進入方向に傾斜した傾斜面を有する磁力装着緩衝体であることを第３の特徴とする。
【考案の効果】
【００１０】
本考案による磁力装着緩衝体は、ガードレールの段差状端面部を傾斜をもって被うことによって、自動車が衝突した際にも車体の一部が剥がれてガードレールに付着することを防止することができる。また本考案による磁力装着緩衝体は、ガードレールの段差状端面部と結合する段差を有する結合突起を自動車進入方向に傾斜した傾斜面を有する緩衝体をガードレール取付部上に設け、該ガードレール取付部をガードレール緩衝体固定部を用いてガードレールに固定することによって、前記効果に加え、容易に緩衝体をガードレールに取り付けることができる。更に本考案磁力装着緩衝体は、ガードレールの段差部と突き当たる磁石ケース及び該磁石ケースに収納される磁石とから成る複数の磁石体と、該複数の磁石体を固定的に収納する弾性材料から成り、傾斜面を有する磁力装着緩衝体を設けたことにより、緩衝体をガードレールに強固に取り付けることができる。
【考案を実施するための最良の形態】
【００１１】
以下、本考案による道路用ガードレールにおける危険物付着防止装置の実施形態を図面を参照して詳細に説明する。図１は本考案の第１の実施形態による危険物付着防止装置の正面を示す図、図２は同実施形態の危険物付着防止装置の側面を示す図、図３は同実施形態の緩衝体を説明するための図、図４は同実施形態の危険物付着防止装置をガードレールへ取り付けた状態を示す側面図、図５はガードレールと緩衝体とを示す図、図６はガードレールへ緩衝体を取り付けた状態示す図、図７は同実施形態の危険物付着防止装置をガードレールへ取り付けた状態を示す平面図、図８は同実施形態の危険物付着防止装置をガードレールへ取り付けた状態を示す正面図、図９は本考案の第２の実施形態による危険物付着防止装置をガードレールへ取り付けた状態を示す側面図、図１０は同実施形態による危険物付着防止装置とガードレールを示す図、図１１は同実施形態による危険物付着防止装置の底面図、図１２は図１１のＢ−Ｂ断面図、図１３は同実施形態による磁石体を示す図、図１４は同実施形態による磁石体を示す図、図１５は同実施形態による磁石体のガードレールの密着状態を示す図、図１６は同実施形態による危険物付着防止装置付きのガードレールに自動車が衝突する状態を示す図、図１７は同実施形態による危険物付着防止装置付きのガードレールに自動車が衝突する状態を示す図である。
<第１の実施形態>
【００１２】
本考案の第１の実施形態による危険物付着防止装置は、図１及び図２に示す如く、反射シート７が貼られた緩衝機能を有する２つの緩衝体５と、該２つの緩衝体５を間隔をもって支持する長尺状のガードレール緩衝体固定部１と、該ガードレール緩衝体固定部１の両端に配され、折曲されることによりガードレールに取付られる櫛目状部をもつガードレール取付部２及び３とから構成される。
【００１３】
前記ガードレール緩衝体固定部１は、樹脂または高硬度ウレタン材（ＪＩＳ  Ａ９８〜９９、Ｄ６０〜７０）から成り、背面（ガードレール取付面）にはガードレールの形状に沿って取り付けられる様に粘着性の接着剤が設けられるか、樹脂等に磁性分を混合したゴム磁石により形成される。またガードレール取付け部２及び３は、厚さ１〜３ｍｍのＳＵＳ材よりなり、ガードレールに取付ける際、容易に作業可能なように櫛刃状を成し、ガードレール緩衝体固定部１と射出・注型成形法により強固に組付けられている。
【００１４】
前記緩衝体５は、樹脂材、好ましくは硬度ＪＩＳ８０〜９５のウレタン材により成り、図３に示す如く、内部にガードレールの段差部と係合する結合突起４が一体成形され、表面中央に反射シート７（又は蛍光シート）が貼られている。この緩衝体５はガードレールの段差部を含む繋ぎ部をガードレー長手方向に沿って十分覆う形状であり、その高さは図６及び図７に示すようにガードレール固定ボルト６の頭部より低く、且つ車輌との衝突に際しその荷重をガードレール側への押し付け荷重に変える方向の傾斜面５´を形成している。また前記結合突起４は、ガードレールの段差部（段差状端面部）を強固に被うために緩衝体に比して硬質な材料で製造されている。
【００１５】
この様に構成した危険物付着防止装置は、図５に示す如く、緩衝体５の結合突起４の段差がガードレールの段差状端面部Ｔの段差を被う様に配置し、この状態で図４に示す如く、両端のガードレール取付部２及び３の櫛目状部をガードレール背面折り返して取り付けられる。
【００１６】
このガードレールに取り付けられた危険物付着防止装置の緩衝体５は、図６（ａ）の如く、ガードレールの段差状端面部Ｔを含む段差を結合突起４が被い、且つ自動車の進入方向に対して傾斜する傾斜面５´を形成するが、この傾斜面は図５（ｂ）に示す如く、曲面をもったアール面５´´としても良い。
【００１７】
この様に構成した第１の実施形態による危険物付着防止装置は、図１８の如く、反対車線の自動車が衝突した際、緩衝体５が、自動車からの衝撃を受ける方向を傾斜面５´に沿って逃がすと共に、ガードレールの前記段差を結合突起４が強固に被っているため、該段差部が自動車に接することはなく、従って自動車のドア等が剥がれて鉄片がガードレールに付着することを防止することができる。換言すれば本危険物付着防止装置は、ガードレールの段差を結合突起４を含む緩衝体５が被うように構成したため、自動車の車体の一部が剥がれてガードレールに付着することを防止することができる。
【００１８】
本危険物付着防止装置は、緩衝体５がガードレールの固定ボルト６の頭部より低くしたため、歩行者や自転車の通行の邪魔にならず、更に正常な走行車線を走行する自動車がガードレールに衝突した際、最初に固定ボルト６に接し、緩衝体５がガードレールから剥がれることを防止することができる。
【００１９】
また本実施形態による危険物付着防止装置は、緩衝体５の表面に反射シート７を貼り付けているため、昼夜の視認性を向上することができ、このためガードレールへの自動車衝突を減少することができ、更に緩衝体に蓄光剤を塗布又は蓄光顔料を混合することにより夜間に緩衝体を発光させ、自動車衝突を減少することができる。
【００２０】
更に本危険物付着防止装置は、ＳＵＳ材のガードレール取付部２及び３並びに接着剤又はゴム磁石のガードレール緩衝体固定部１を用いてガードレールに取り付ける構造のため、特殊工具を用いることなく容易にガードレールに取り付けることができる。
【００２１】
尚、本実施形態による危険物付着防止装置は、自動車が衝突した際には、緩衝体５の傾斜部５´に斜め方向から突入し、結合突起４の段差をガードレールＧの段差状端面部Ｔに押しつける様に力が作用すると共に、ガードレール緩衝体固定部１の接着力又は磁力と並びに折曲したガードレール取付部２及び３により、衝突に際してガードレールから剥がれ落ちることはない。
<第２の実施形態>
【００２２】
次に本考案の第２の実施形態による危険物付着防止装置を図７以降を参照して説明する。本実施形態による危険物付着防止装置は、図１０に示す如く、ガードレールの突出した段差部を被う長尺状のポリウレタンゴム製の磁力装着緩衝体８から成り、この磁力装着緩衝体８は、その断面を示す図１２及び底面を示す図１１の如く、ガードレール孔と貫通するボルトナット１２１を取り付けるためのボルト孔８ｅと、ガードレールに磁着するための複数の磁石体８ａ〜８ｃとを備え、前記実施形態同様に傾斜面８´が形成されている。
【００２３】
前記磁石体８ａは、図１３に示す如く、ガードレールの平面に磁着するために矩形箱状のスチール製の磁石ケース８０と、該磁石ケース８０の内部に嵌合される磁石８１とから成る。これに対してガードレールの段差状端面部に取付られる磁石体８ｃは、図１４に示す如く、ガードレールの段差部に磁着するために段差８４をもつ矩形箱状のスチール製の磁石ケース８２と、該磁石ケース８２の内部に嵌合される磁石８３とから成る。これら磁石体８ａは、図１５に示す如く、ガードレールＧに取り付けた際、磁石８１の磁束がスチール製の磁石ケース８０を通って磁界９０を形成するため、ガードレールＧに強固に取り付けることができる。
【００２４】
この様に構成された第２実施形態における危険物付着防止装置による磁力装着緩衝体８は、図７〜図９に示す如く、支柱ＰにプラケットＢを介してガードレールＧの路面に突出した箇所且つ内側レールＧ１及び外側レールＧ２の段差部を被う様に、ボルトナット１２１並びに磁石体８ａ〜８ｃを用いてガードレールに取り付けられることによって、該ボルトナット１２１の固定力や磁石体８ａ及び８ｂの磁力によりガードレールＧに強固に固定することができる。
【００２５】
この危険物付着防止装置は、図１６に示す如く、反対車線の自動車が矢印方向に衝突した場合、磁力装着緩衝体８が、自動車からの衝撃を受ける方向を沿って逃がすと共に、ボルトナット１２１の固定力並びに複数の磁石体８ａ〜８ｃの磁力によって取り付けられているため、自動車の衝突の衝撃に耐えることができる。
【００２６】
特に本実施形態による危険物付着防止装置は、ガードレールＧの段差部を結合突起４が強固に被っているため、該段差部が自動車に接することはなく、従って自動車のドア等が剥がれて鉄片がガードレールに付着することを防止することができる。
【００２７】
また本危険物付着防止装置は、磁力装着緩衝体８内部の磁石体８ｃの磁石ケース８２がガードレールの段差状端面部Ｔと突き当たる段差８４をもつため、自動車が衝突した際、この段差状端面部Ｔに段差８４が突き当たり、磁力装着緩衝体８の位置ズレを防止することができる。
【図面の簡単な説明】
【００２８】
【図１】本考案の第１の実施形態による危険物付着防止装置の正面を示す図。
【図２】同実施形態の危険物付着防止装置の側面を示す図。
【図３】同実施形態の緩衝体を説明するための図。
【図４】同危険物付着防止装置をガードレールへ取り付けた状態を示す側面図。
【図５】ガードレールと緩衝体とを示す図。
【図６】ガードレールへ緩衝体を取り付けた状態示す図。
【図７】同危険物付着防止装置をガードレールへ取り付けた状態を示す平面図。
【図８】同危険物付着防止装置をガードレールへ取り付けた状態を示す正面図。
【図９】本考案の第２の実施形態による危険物付着防止装置を説明するための側面図。
【図１０】同実施形態による危険物付着防止装置とガードレールを示す図。
【図１１】同実施形態による危険物付着防止装置の底面図。
【図１２】図１１のＢ−Ｂ断面図。
【図１３】同実施形態による磁石体を示す図。
【図１４】同実施形態による磁石体を示す図。
【図１５】同実施形態による磁石体のガードレールの密着状態を示す図。
【図１６】同危険物付着防止装置付きのガードレールに自動車が衝突する状態図。
【図１７】同危険物付着防止装置付きのガードレールに自動車が衝突する状態図。
【図１８】ガードレールへ自動車が衝突する状態を示す図。
【符号の説明】
【００２９】
１：ガードレール緩衝体固定部、２：ガードレール取付部、４：結合突起、５：緩衝体、６：ガードレール固定ボルト、７：反射シート、８：ポリウレタンゴム磁力装着緩衝体、８ａ：磁石体、８ｂ：磁石体、８ｃ：磁石体、８ｅ：ボルト孔、８０：磁石ケース、８１：磁石、８２：磁石ケース、８３：磁石、８４：段差、９０：磁界、９１ａ：車輌、９１ｂ：車輌、９５：車輌、１２１：ボルトナット、Ｇ：ガードレール、Ｇ１：内側レール、Ｇ２：外側レール、Ｐ：支柱、Ｔ：段差状端面部。
【図１】
0003119846.tif 000003
【図２】
0003119846.tif 000004
【図３】
0003119846.tif 000005
【図４】
0003119846.tif 000006
【図５】
0003119846.tif 000007
【図６】
0003119846.tif 000008
【図７】
0003119846.tif 000009
【図８】
0003119846.tif 000010
【図９】
0003119846.tif 000011
【図１０】
0003119846.tif 000012
【図１１】
0003119846.tif 000013
【図１２】
0003119846.tif 000014
【図１３】
0003119846.tif 000015
【図１４】
0003119846.tif 000016
【図１５】
0003119846.tif 000017
【図１６】
0003119846.tif 000018
【図１７】
0003119846.tif 000019
【図１８】
0003119846.tif 000020